(57)【要約】      （修正有）【課題】取付け後の外観が目立たず、工事費を低減し、工事期間を短縮することができ、かつ優れた耐震性能を発揮する筋交いを提供する。【解決手段】木造構造物の柱または横架材の外壁側に固定された少なくとも２つの支持基材１０ａと、両端近傍が該少なくとも２つの支持基材に接続された炭素繊維強化プラスチックから形成された帯状の筋交い材１１ａとからなる耐震補強用筋交いであって、前記支持基材が、前記筋交い材の長手方向に平行して伸びる２枚の板状体２０ａ，２０ｂからなる挟持機構を備え、前記筋交い材が該２枚の板状体に直接挟み込まれることによって固定されたことを特徴とする。【選択図】図４
0003161680.tif 000002
【実用新案登録請求の範囲】
【請求項１】
木造構造物の柱または横架材の外壁側に固定された少なくとも２つの支持基材と、両端近傍が該少なくとも２つの支持基材に接続された炭素繊維強化プラスチックから形成された帯状の筋交い材とからなる耐震補強用筋交いであって、
前記支持基材が、前記筋交い材の長手方向に平行して伸びる２枚の板状体からなる挟持機構を備え、前記筋交い材が該２枚の板状体に直接挟み込まれることによって固定されたことを特徴とする耐震補強用筋交い。
【請求項２】
前記支持基材が正面から見て矩形状に形成されたものであり、木造構造物を構成する柱と横架材とに固定されてなる請求項１記載の筋交い。
【請求項３】
前記筋かい材の端部が楔状の形状を有する請求項１または２記載の筋交い。
【請求項４】
前記筋交い材の少なくとも一端が、前記板状体から突出し、その突出部分に緊張用部材が固定されてなる請求項１、２または３記載の筋交い。
【考案の詳細な説明】
【技術分野】
【０００１】
本考案は、耐震補強用筋交いに関する。さらに詳しくは、木造構造物の外壁に取り付けられる耐震補強用筋交いに関する。
【背景技術】
【０００２】
従来、木造住宅などの木造構造物の外壁側から耐震補強用筋交いを取り付けるには、取付け範囲の外壁を一旦撤去する必要があった。また、筋交いの取付け後には撤去された外壁を復旧する必要があった。これらの作業工程は、耐震改修工事の費用と期間を増大させる要因となっていた。
【０００３】
特許文献１には、工事費用の低減と工事期間の短縮を図るための耐震補強用筋交いが提案されている。この筋交いは、木造構造物の外壁に、その枠状構造のほぼ対角線をわたるようにＸ字状に組み付けられるものであり、正面から見て円形の支持部材を木造構造物の外壁側に取り付け、炭素繊維強化プラスチック（ＣＦＲＰ）からなる帯状体の両端を、支持部材に設けられた２枚の板状体によって接着剤を介して挟み込んで固定するというものである。
【先行技術文献】
【特許文献】
【０００４】
【特許文献１】実用新案登録第３１５１２３８号公報
【考案の概要】
【考案が解決しようとする課題】
【０００５】
しかし、特許文献１の筋交いは、ＣＦＲＰからなる帯状体を用いているため、高い強度を有するが、伸縮性がほとんどなく、大地震発生時の一定以上の応力に耐え切れず、筋交いが破壊されてしまうおそれがあった。あるいは、ＣＦＲＰからなる筋交いは破壊されず、強度に劣る木材に応力が集中する結果、木材が破損してしまうおそれがあった。
【０００６】
本考案は、上記従来の問題に鑑みてなされたものであり、取付け後の外観が目立たず、工事費を低減し、工事期間を短縮することができ、かつ優れた耐震性能を発揮する筋交いを提供することを目的とする。
【課題を解決するための手段】
【０００７】
本考案の耐震補強用筋交いは、木造構造物の柱または横架材の外壁側に固定された少なくとも２つの支持基材と、両端近傍が該少なくとも２つの支持基材に接続された炭素繊維強化プラスチックから形成された帯状の筋交い材とからなる耐震補強用筋交いであって、前記支持基材が、前記筋交い材の長手方向に平行して伸びる２枚の板状体からなる挟持機構を備え、前記筋交い材が該２枚の板状体に直接挟み込まれることによって固定されたことを特徴としている。
【０００８】
また、前記支持基材が正面から見て矩形状に形成されたものであり、木造構造物を構成する柱と横架材とに固定されてなることが好ましい。
【０００９】
また、前記筋かい材の端部が楔状の形状を有することが好ましい。
【００１０】
また、前記筋交い材の少なくとも一端が、前記板状体から突出し、その突出部分に緊張用部材が固定されてなることが好ましい。
【考案の効果】
【００１１】
本考案の耐震補強用筋交いは、外壁を部分的に撤去するだけで取り付けることができるため、工事期間を短縮し、工事費を低減することができ、取付け後の外観は目立たない。また、室内での作業がほとんどないため、居住者への負担を軽減できる。さらに、筋交い材は、支持基材の狭持機構に挟み込まれることによって固定されているので、ごく稀に発生する大地震による一定以上の応力に対して、筋交い材が狭持機構内で一定以上の抵抗力を保持しながら移動することができる。そのため、筋交いが破壊されにくくなり、また、軸組みを構成している柱、横架材への応力集中を防ぐことができ、優れた耐震性能を発揮する。
【００１２】
また、筋かい材の端部を楔状の形状とすることで、軸組みが大変形に至っても筋かい材が狭持機構から抜け出ることがない。さらに、筋交い材の末端に緊張用部材を固定することにより、筋交い材を緊張状態で支持基材に固定することができる。
【図面の簡単な説明】
【００１３】
【図１】本考案の実施の形態による耐震補強用筋交いを適用した木造構造物の概略図である。
【図２】図１の耐震補強用筋交いの拡大正面図である。
【図３】図２の耐震補強用筋交いの概略縦断面図である。
【図４】図２の耐震補強用筋交いの分解斜視図である。
【考案を実施するための形態】
【００１４】
本考案の実施の形態による耐震補強用筋交いについて、添付図面に沿って以下詳細に説明する。
【００１５】
図１は、本考案の実施の形態による耐震補強用筋交いを適用した木造構造物の概略図である。
【００１６】
図１に示されるように、本考案の耐震補強用筋交い（以下、筋交いという）１は、木造構造物Ｈの外壁５側に固定された支持基材１０ａ〜１０ｄと、後述する狭持機構によって両端近傍が支持基材１０ａ〜１０ｄに固定された炭素繊維強化プラスチック（ＣＦＲＰ）から形成された帯状の筋交い材１１ａ，１１ｂとから構成されている。支持基材１０ａ〜１０ｄは、外壁５を部分的に撤去することにより露出した木造構造物Ｈの柱２、横架材３および土台（横架材）４に、それらによって構成される枠状構造の角に位置するように固定されている。
【００１７】
２つの筋交い材１１ａ，１１ｂは、柱２、横架材３および土台４によって構成される枠構造の対角をわたるようにＸ字状に交差し、支持基材１０ａ，１０ｃと支持基材１０ｂ，１０ｄにそれぞれ取り付けられている。これによって、筋交い１は、柱２、横架材３および土台４の引張筋交いとして作用し、水平方向の応力および柱頭や柱脚接合部の引抜き応力に対する抵抗要素として作用する。
【００１８】
図２は、図１の耐震補強用筋交いの拡大正面図であり、図３は、図２の耐震補強用筋交いの概略縦断面図であり、図４は、図２の耐震補強用筋交いの分解斜視図である。
【００１９】
これらの図に示されるように、支持基材１０ａは、正面から見て矩形状を有するステンレス製の部材であり、ラグスクリュー１２ａ，１２ｂ，１２ｃ（一部図示せず）によって土台４と柱２に固定されている。支持基材１０ａは、土台４と柱２とをわたる大きさを有し、その両方に固定されるため、応力に対して柱２が土台４から引き抜かれることを防ぐ。
【００２０】
また、支持基材１０ａの外面側には、後述する下側板状体２０ａを螺合するための台座状の雌ネジ部１５がナットを溶接することによって形成されている。さらに、支持基材１０ａの外面には、支持基材１０ａに強度を付与するための突条１７ａ，１７ｂ，１７ｃが形成されている。
【００２１】
支持基材１０ａは、筋交い材１１ａの長手方向に平行して伸びる２枚の長方形板状体２０ａ，２０ｂからなる挟持機構を備えており、この板状体２０ａ，２０ｂはステンレス製である。狭持機構を構成する下側板状体２０ａは、その下側にボルト１６が溶接によって固定されており、支持基材１０ａの雌ネジ部１５の雌ネジに螺合することによって支持基材１０ａに取り付けられる。この螺合の程度を変えることにより、木造構造物Ｈの外壁５を構成するラス網、モルタル、サイジング材および板材や壁下地６などの厚さに応じて、柱２や土台４の取付け面から下側板状体２０ａまでの距離を調節することができる。
【００２２】
また、筋交い材１１ａを、横架材３を外壁５の外側に回転させる応力に対する抵抗要素として効果的に作用させるため、外壁５にできるだけ近接させることが好ましく、その観点からも、前記取付け面から下側板状体２０ａまでの距離の調節は重要である。前記取付け面から下側板状体２０ａまでの距離は、５０ｍｍ以下であることがより好ましい。
【００２３】
下側板状体２０ａには、その長手方向に平行する両縁に複数個の雌ネジ３０が形成されており、下側板状体２０ａと同一形状を有する上側板状体２０ｂが、下側板状体２０ａに重なるように、ネジ３１と雌ネジ３０との螺合によって取り付けられている。この螺合締付けによって、筋交い材１１ａは、板状体２０ａ，２０ｂに直接挟み込まれ、摩擦接合によって固定される。また、板状体２０ａ，２０ｂが筋かい材１１ａに接触する面には、絶縁性を持つ防錆材が塗布されている。これによって、導電性を有するＣＦＲＰと接触している板状体２０ａ，２０ｂの腐食が防止され、長期にわたり安定した摩擦力が得られる。ここで、摩擦接合とは、一の部材と他の部材との固定が、摩擦力によって接合固定されている状態をいい、２つの部材は所定量を超える応力に対して摩擦し、一定以上の抵抗力を保持しながら移動する。したがって、直接挟み込まれるとは、上記摩擦接合の作用を害さず、補強する範囲内において、上記防錆材などが介在することを排除するものではない。
【００２４】
本実施の形態では、板状体２０ａ，２０ｂに直接挟み込まれた筋交い材１１ａに一定以上の応力がかかった場合、挟み込まれた筋交い材１１ａは、板状体２０ａ，２０ｂと摩擦し、一定以上の抵抗力を保持しながら板状体２０ａ，２０ｂから抜け出す。これによって、伸縮性をほとんど有しないＣＦＲＰからなる筋交い材１１ａであっても、筋交い１全体として応力を低減することができ、筋交い材１１ａの破壊を防ぎ、また、筋交い材１１ａより強度に劣る柱２、横架材３、土台４などの木材が先に破損することを防止することができる。本考案では、一定以上の応力に対して筋交い１１ａが移動できるように、筋交い材１１ａと板状体２０ａ，２０ｂとの固定には接着剤を用いないことが好ましい。
【００２５】
筋交い材１１ａは、ＣＦＲＰ帯板から形成されるものであれば特に限定されないが、好ましくは、厚さは０．８〜３ｍｍであり、幅は２０〜３０ｍｍであり、引張強度は１．０〜２ｋＮ／ｍｍ2であり、ヤング係数は１５０〜３００ｋＮ／ｍｍ2であり、重量は６０〜１６０ｇ／ｍのものを使用する。筋交い材１１ａは帯状体であるため塗装が容易であり、外壁５と同色に塗装することによりその外観は目立たない。
【００２６】
また、図２〜４に示されるように、筋交い材１１ａの末端は、板状体２０ａ，２０ｂから突出しており、楔状の形状を有することが好ましい。これによって、軸組みが大変形に至っても筋かい材１１ａは狭持機構から抜け出ない。また、その突出部分には、ステンレス製の緊張用部材３５ａ，３５ｂが固定されている。緊張用部材３５ａ，３５ｂは、筋交い材１１ａに上下から螺合によって固定される２つの部材３５ａ，３５ｂから構成されている。この緊張用部材３５ａ，３５ｂは、筋交い材１１ａの緩みを防ぎ、筋交い材１１ａを緊張状態で支持基材１０ａ，１０ｃに固定するためのものである。この点については後述する。
【００２７】
外壁５を部分的に撤去することによって生じた露出箇所は、筋交い１を取り付けた後、図３に示されるように防水カバー４０によって覆われ、雨水の浸入を防止する。支持基材１０ａとの接触部分についてはシーリング材を充填することが好ましい。
【００２８】
次に、支持基材１０ａへの筋交い材１１ａの取付け方法について説明する。まず、木造構造物Ｈの柱２および土台４に固定された支持基材１０ａに、下側板状体２０ａを螺合し、そのうえに筋交い材１１ａをあてがい、筋交い材１１ａの末端に緊張用部材３５ａ，３５ｂを固定する。緊張用部材３５ａ，３５ｂを固定した後、上側板状体２０ｂを下側板状体２０ａに重ね合わせ、筋交い材１１ａを挟み、ネジ３１で板状体２０ａ，２０ｂを仮締めする。そして、緊張用部材３５ｂと上側板状体２０ｂとの間の空隙にマイナスドライバーなどを差し込んで空隙を押し広げ、筋交い材１１ａの緩みをなくし、筋交い材１１ａを緊張させる。最後に、ネジ３１を強く締めることによって、筋交い材１１ａを、板状体２０ａ，２０ｂに摩擦接合で固定する。固定された緊張用部材３５ａ，３５ｂは、取付け終了後に取り外し、メンテナンス時の再緊張用として保管することが好ましい。なお、支持基材１０ｂ、１０ｃ、１０ｄおよび筋交い材１１ｂの構成および作用は、それぞれ支持基材１０ａおよび筋交い材１１ａと基本的に同じであるため、説明は繰り返さない。
【００２９】
以上、説明したように、本考案の筋交いは、Ｘ字状に交差する２つの筋交い材を対にして支持基材を介して木造構造物に固定することにより、地震により木造構造物が水平力を受けても変形しにくくなり、一対で約６００〜１０００ｋｇの水平力に耐えることができる。また、木造構造物が変形して支持基材の軸心の回りのモーメントが発生しても、筋交いが支持基材のボルトを介して旋回できるため、筋交い材には捻れが生じず、破壊に至らない。さらに、筋交い材と支持基材とは摩擦接合によって固定されているため、一定以上の応力に対して、筋交い材は板状体から一定以上の抵抗力を保持しながら抜け出し、伸縮性をほとんど有しないＣＦＲＰからなる筋交い材であっても破壊されにくい。また、筋交い全体として応力を低減することができるため、筋交い材より強度に劣る柱、横架材、土台などの木材が先に破損することを防ぐ。
【００３０】
なお、本実施の形態では支持基材は、正面から見て矩形状のものであったが、特にこれに限定されるものではなく、正面から見て長方形状や、柱や横架材の形状に合わせてＬ字形状にすることもできる。また、筋交い材の長さや厚さ、幅は特に限定されるものではない。
【符号の説明】
【００３１】
Ｈ  木造構造物
１  筋交い
２  柱
３  横架材
４  土台（横架材）
５  外壁
６  壁下地
１０ａ，１０ｂ，１０ｃ，１０ｄ  支持基材
１１ａ，１１ｂ  筋交い材
１２ａ，１２ｂ，１２ｃ  ラグスクリュー
１５  雌ネジ部
１６  ボルト
１７ａ，１７ｂ，１７ｃ  突条
２０ａ  下側板状体
２０ｂ  上側板状体
３０  雌ネジ
３１  ネジ
３５ａ，３５ｂ  緊張用部材
４０  防水カバー
【図１】
0003161680.tif 000003
【図２】
0003161680.tif 000004
【図３】
0003161680.tif 000005
【図４】
0003161680.tif 000006